(57)【要約】【課題】合成樹脂部品と金属部品を分離する際の作業性向上を図る。【解決手段】電子部品モジュールＭは、コイル４６（電子部品）とコンデンサ４７（電子部品）を収容するケース１０と、ケース１０に対し着脱可能な端子金具３６（金属部品）及びアースブラケット３９（金属部品）とを備え、ケース１０が、合成樹脂製のケース本体１１（第１構成部品）と、カバー２６（第２構成部品）とを組み付けて構成され、ケース本体１１には、端子金具３６とアースブラケット３９を所定の取付け位置に位置決めする位置決め孔２４（位置決め部）と位置決め溝１９（位置決め部）が形成され、カバー２６には、位置決めされている端子金具３６とアースブラケット３９が位置決め孔２４と位置決め溝１９から離脱することを規制する前側規制突部３１（規制部）と後側規制突部３４（規制部）が形成されている。【選択図】図２
2016139538.tif 000002
【特許請求の範囲】
【請求項１】
電子部品を収容するケースと、
前記ケースに対し着脱可能な金属部品とを備え、
前記ケースが、合成樹脂製の第１構成部品と、第２構成部品とを組み付けて構成され、
前記第１構成部品には、前記金属部品を所定の取付け位置に位置決めする位置決め部が形成され、
前記第２構成部品には、位置決めされている前記金属部品が前記位置決め部から離脱することを規制する規制部が形成されていることを特徴とする電子部品モジュール。
【請求項２】
前記電子部品が前記金属部品に固着されており、
前記第１構成部品には、前記金属部品を前記第１構成部品から外す過程で前記電子部品との干渉を回避する開口部が形成されていることを特徴とする請求項１記載の電子部品モジュール。
【請求項３】
１つの前記電子部品が複数の前記金属部品に固着されており、
前記複数の金属部品が、互いに同じ方向へ平行移動することで前記第１構成部品から離脱するようになっていることを特徴とする請求項２記載の電子部品モジュール。
【請求項４】
前記第１構成部品には、前記金属部品をスライドさせることによって前記所定の取付け位置まで誘導するガイド部が形成されていることを特徴とする請求項１ないし請求項３のいずれか１項に記載の電子部品モジュール。
【発明の詳細な説明】
【技術分野】
【０００１】
本発明は、電子部品モジュールに関するものである。
【背景技術】
【０００２】
特許文献１には、合成樹脂製のケースに、ノイズフィルタを構成するコンデンサ、コンデンサのリード端子が接続される金属製のバスバー、金属製のアースブラケット等を取り付けて構成される電子部品モジュールが開示されている。
【先行技術文献】
【特許文献】
【０００３】
【特許文献１】特開２００９−９４１８５号公報
【発明の概要】
【発明が解決しようとする課題】
【０００４】
上記の電子部品モジュールでは、合成樹脂製のケースに金属製のバスバーを取付け状態に保持する手段として、バスバーに形成した屈曲形状の係止突起と、ケースに形成した孔部とを無理嵌め状態で係止させている。また、ケースに金属製のアースブラケットを取り付けた状態に保持する手段として、アースブラケットに形成した係止部の孔部と、ケースに形成した突起部とを無理嵌め状態で係止させている。そのため、合成樹脂部品であるケースと金属部品であるバスバーやアースブラケットをリサイクル等のために分離する際には、工具等を用いて、ケースにおける金属部品との係止部分を破壊し、金属部品との係止を解除しなければならず、作業性が良くない。
【０００５】
本発明は上記のような事情に基づいて完成されたものであって、合成樹脂部品と金属部品を分離する際の作業性向上を図ることを目的とする。
【課題を解決するための手段】
【０００６】
本発明の電子部品モジュールは、
電子部品を収容するケースと、
前記ケースに対し着脱可能な金属部品とを備え、
前記ケースが、合成樹脂製の第１構成部品と、第２構成部品とを組み付けて構成され、
前記第１構成部品に、前記金属部品を所定の取付け位置に位置決めする位置決め部が形成され、
前記第２構成部品に、位置決めされている前記金属部品が前記位置決め部から離脱することを規制する規制部が形成されているところに特徴を有する。
【発明の効果】
【０００７】
合成樹脂製の第１構成部品と金属部品を分離する際には、第２構成部品を第１構成部品から外して、規制部による金属部品への離脱規制を解除し、その後に、金属部品を位置決め部から外せばよい。本発明によれば、合成樹脂製の第１構成部品と金属部品を分離させる際に、第１構成部品を破壊する必要がないので作業性がよい。
【図面の簡単な説明】
【０００８】
【図１】実施例１の電子部品モジュールの一部切欠平面図
【図２】図１のＸ−Ｘ線断面図
【図３】ケース本体（第１構成部品）からカバー（第２構成部品）を外した状態をあらわすＸ−Ｘ線断面図
【図４】ケース本体の背面図
【図５】カバーの正面図
【図６】カバーの背面図
【図７】カバーの側面図
【図８】フィルタモジュールをケース本体から取り外した状態をあらわす平面図
【発明を実施するための形態】
【０００９】
（ａ）本発明の電子部品モジュールは、前記電子部品が前記金属部品に固着されており、前記第１構成部品には、前記金属部品を前記第１構成部品から外す過程で前記電子部品との干渉を回避する開口部が形成されていてもよい。電子部品と金属部品とを分離する作業は、電子部品と金属部品を第１構成部品に取り付けた状態で行うよりも、第１構成部品から外した状態で行う方が容易で効率的である。この点を勘案し、電子部品を、金属部品に固着したままで第１構成部品から取り外すことができるようにした。
【００１０】
（ｂ）本発明の電子部品モジュールは、（ａ）において、１つの前記電子部品が複数の前記金属部品に固着されており、前記複数の金属部品が、互いに同じ方向へ平行移動することで前記第１構成部品から離脱するようになっていてもよい。この構成によれば、電子部品を、複数の金属部品に固着したままで第１構成部品から取り外すことができる。
【００１１】
（ｃ）本発明の電子部品モジュールは、前記第１構成部品には、前記金属部品をスライドさせることによって前記所定の取付け位置まで誘導するガイド部が形成されていてもよい。この構成によれば、金属部品を第１構成部品に対して着脱する際に、金属部品と第１構成部品との間で引っ掛かりを生じないので、作業性がよい。
【００１２】
＜実施例１＞
以下、本発明を具体化した実施例１を図１〜図８を参照して説明する。本実施例の電子部品モジュールＭは、ケース１０と、フィルタモジュール３５とを備えて構成され、ノイズフィルタとして機能するものである。尚、以下の説明において、前後の方向については、図１〜３，７，８における左方を前方と定義する。また、上下の方向については、図２〜７にあらわれる向きをそのまま上方、下方と定義する。
【００１３】
ケース１０は、合成樹脂製のケース本体１１（請求項に記載の第１構成部品）と、同じく合成樹脂製のカバー２６（請求項に記載の第２構成部品）とを組み付けて構成されている。ケース本体１１は、上面と後面が大きく開放された箱形の収容部１２と、収容部１２の前端部に連なる筒状嵌合部１３とを一体に形成した単一部品である。収容部１２は、平面視略方形をなす底壁部１４と、底壁部１４の前端縁から立ち上がる前壁部１５と、底壁部１４の左右両側縁から立ち上がる左右一対の側壁部１６とを備えている。収容部１２の後面の開口部は、収容部１２のほぼ全幅及びほぼ全高に亘って大きく開放された着脱口１７（請求項に記載の開口部）となっている。
【００１４】
収容部１２内には、底壁部１４の上面に対し一定の間隔を空けて平行に対向する隔壁部１８が形成されている。隔壁部１８の左右両側縁は、左右両側壁部１６に連なっている。底壁部１４の上面と、隔壁部１８の下面と、前壁部１５の下端部後面と、左右両側壁部１６の下端部内面とによって囲まれた空間は、高さの低いスリット状の位置決め溝１９（請求項に記載の位置決め部）となっている。位置決め溝１９は、ケース本体１１の後端面（着脱口１７）に開放されている。
【００１５】
位置決め溝１９の内面のうち前壁部１５の内面を除いた領域は、後述するアースブラケット３９を前後方向にスライドさせるためのガイド部２０となっている。また、隔壁部１８の後端部には、そのほぼ全幅に亘って切欠した形態の切欠部２１が形成されている。切欠部２１は、隔壁部１８の上面と下面とを連通させるとともに、ケース本体１１の後端面（着脱口１７）に開放されている。
【００１６】
左右両側壁部１６の後端部には、左右一対のガイド溝２２が形成されている。ガイド溝２２は、側壁部１６の後端縁に沿って上下方向に直線的に延びた形態である。ガイド溝２２の上端は側壁部１６の上端面に開放され、ガイド溝２２の下端は位置決め溝１９と連通している。左右両側壁部１６の外面には、夫々、前後一対ずつのロック突起２３が形成されている。
【００１７】
前壁部１５には、左右対称な一対の位置決め孔２４（請求項に記載の位置決め部）が形成されている。位置決め孔２４は、前壁部１５を前後方向（つまり、位置決め溝１９に対するアースブラケット３９の着脱方向と平行な方向）に貫通している。位置決め孔２４の内面のうち下面部には、前方へ片持ち状に延出した形態のランス２５が形成されている。ランス２５は、下方へ弾性撓み可能となっている。筒状嵌合部１３は、前壁部１５の外周縁から前方へ突出した形態である。筒状嵌合部１３には、ワイヤーハーネス（図示省略）のコネクタ（図示省略）が嵌合されるようになっている。
【００１８】
カバー２６は、天板部２７と、左右二対の弾性ロック片２８と、前面壁３０と、後面壁３２とを備えた単一部品である。天板部２７は、平面視略方形をなす。カバー２６をケース本体１１に組み付けた状態では、天板部２７が、収容部１２の上面の開口を閉塞する。
【００１９】
弾性ロック片２８は、天板部２７の左右両側縁から前後に間隔を空けて一対ずつ略直角下向きに延出した形態である。弾性ロック片２８には、ロック孔２９が形成されている。カバー２６をケース本体１１に組み付ける過程では、弾性ロック片２８がロック突起２３と干渉して拡開するように弾性撓みする。カバー２６がケース本体１１に適正に組み付けられると、弾性ロック片２８が弾性復帰してロック孔２９がロック突起２３に係止する。この係止作用により、カバー２６とケース本体１１が組付け状態にロックされる。
【００２０】
前面壁３０は、天板部２７の前端縁から略直角下向きに片持ち状に延出した形態である。カバー２６をケース本体１１に組み付けた状態では、前面壁３０の前面が、前壁部１５の後面（収容部１２の前面）に対し面当たり又は接近して対向する位置関係となる。また、前面壁３０の左右両側縁は、左右両側壁部１６の内面に対し面当たり又は接近して対向する位置関係となる。前面壁３０は、その壁厚寸法（前後方向の寸法）が十分大きく確保されているので、前面壁３０は天板部２７に対し前後方向へ変位するような変形は殆ど生じない。
【００２１】
前面壁３０には、その下端面から下方へ突出する左右一対の前側規制突部３１（請求項に記載の規制部）が形成されている。カバー２６をケース本体１１に組み付けた状態では、一対の前側規制突部３１が、上下方向及び左右方向において一対の位置決め孔２４と対応するように位置する。つまり、一対の前側規制突部３１は、後述する端子金具３６の前側係止孔３８に対し上から嵌入し得るように位置する。
【００２２】
後面壁３２は、天板部２７の前端縁から略直角下向きに片持ち状に延出した形態である。カバー２６をケース本体１１に組み付けた状態では、後面壁３２が着脱口１７を閉塞する。後面壁３２の左右両側縁には、上下方向（ケース本体１１に対するカバー２６の着脱方向と平行な方向）に延びる左右一対のガイドリブ３３が形成されている。カバー２６をケース本体１１に組み付ける際には、ガイドリブ３３をガイド溝２２に嵌入することにより、カバー２６が、ケース本体１１に対し一定の姿勢に保たれたままガイドされる。また、ケース本体１１とカバー２６を組み付けた状態では、ガイドリブ３３とガイド溝２２との嵌合により、ケース本体１１とカバー２６の前後方向への相対変位が規制される。
【００２３】
後面壁３２には、その下端面における左右方向中央部から下方へ突出する後側規制突部３４（請求項に記載の規制部）が形成されている。カバー２６をケース本体１１に組み付けた状態では、後側規制突部３４が、上下方向において位置決め溝１９と対応するように位置する。つまり、後側係止突起は、後述するアースブラケット３９の後側係止孔４１に対し上から嵌入し得るように位置する。
【００２４】
フィルタモジュール３５は、左右一対の端子金具３６（請求項に記載の金属部品）と、アースブラケット３９（請求項に記載の金属部品）と、π型フィルタ４５とを備えて構成されている。端子金具３６は、前後方向に細長く延びた板状をなす。端子金具３６の長さ方向における略中央部には、端子金具３６を上下に貫通した形態の抜止め孔３７が形成されている。端子金具３６の後端部には、端子金具３６を上下に貫通した形態の前側係止孔３８が形成されている。
【００２５】
端子金具３６は、前壁部１５の前方（筒状嵌合部１３側）又は後方（収容部１２側）から位置決め孔２４に差し込むことにより、前壁部１５を前後に貫通した形態でケース本体１１に組み付けられている。位置決め孔２４に挿入する過程では、端子金具３６の外面が位置決め孔２４の内面に摺接することにより、一定の姿勢を保ったままで平行移動（スライド）する。つまり、端子金具３６は、ケース本体１１に対し上下方向及び左右方向への相対変位や傾きを生じることがない。
【００２６】
前壁部１５に組み付けられた端子金具３６は、ランス２５が抜止め孔３７に対し弾性的に係止することにより、セミロックロック状態で保持されている。ランス２５に保持された端子金具３６は、後方へ引っ張ることにより、前壁部１５（ケース本体１１）から離脱させることができる。端子金具３６を前壁部１５に取り付けた状態では、端子金具３６の前端部が筒状嵌合部１３内に位置する。また、端子金具３６の後端部と前側係止孔３８が形成された領域は、収容部１２内に位置する。
【００２７】
アースブラケット３９は、金属製であり、全体として平面視略方形をなす平板状である。アースブラケット３９のうち前端側領域は、組付部４０として機能し、アースブラケット３９のうち後端側領域は、接続部４２として機能する。組付部４０の後端部には、組付部４０を上下方向（板厚方向）に貫通した形態の後側係止孔４１が形成されている。接続部４２には、電子部品モジュールＭをアースボディ（図示省略）に取り付ける際にボルト（図示省略）を貫通させるための接続孔４３が形成されている。組付部４０の後端縁と接続部４２の前端縁は段差部４４によって連なっており、接続部４２は、段差部４４を境として組付部４０よりも一段低くなっている。
【００２８】
アースブラケット３９は、ケース本体１１に対し後方から組み付けられている。組付けの際には、組付部４０を位置決め溝１９内に挿入する。挿入の過程では、組付部４０がガイド部２０（位置決め孔２４の内面）に摺接することにより、一定の姿勢を保ったままで平行移動（スライド）する。つまり、アースブラケット３９は、ケース本体１１に対し上下方向及び左右方向への相対変位や傾きを生じることがない。位置決め溝１９に対するアースブラケット３９の挿抜方向は、位置決め孔２４に対する端子金具３６の挿抜方向と平行である。
【００２９】
そして、アースブラケット３９が所定の取付け位置に到達すると、アースブラケット３９（組付部４０）の前端縁が位置決め溝１９の前端面（奥端面）に当接するとともに、段差部４４が底壁部１４の後端面に当接する。アースブラケット３９は、この当接作用により前止まりされ、前後方向に関して所定の取付け位置に位置決めされる。但し、アースブラケット３９はケース本体１１に対し後方へ移動することは可能である。また、組付部４０が位置決め溝１９の内面（ガイド部２０）に当接することにより、アースブラケット３９は、ケース本体１１に対し上下方向及び左右方向において位置決めされる。
【００３０】
π型フィルタ４５は、フィルタ素子として機能するコイル４６（請求項に記載の電子部品）と、同じくフィルタ素子として機能する２つのコンデンサ４７（請求項に記載の電子部品）とを備えて構成されている。コイル４６は、略円筒形をなし、収容部１２内に収容されていて、隔壁部１８の上面の略中央位置に配されている。一対のコンデンサ４７は、収容部１２内に収容され、隔壁部１８の上面においてコイル４６を左右両側から挟むように配されている。
【００３１】
コイル４６の両端部は、２つの端子金具３６の後端部に半田付けにより接続されている。各コンデンサ４７から導出している前後一対のリード線４８，４９のうち前側のリード線４８は、半田付けにより端子金具３６の後端部に接続されている。各コンデンサ４７の後側のリード線４９は、隔壁部１８の切欠部２１において、半田付けによりアースブラケット３９の組付部４０の上面に接続されている。このように、フィルタモジュール３５は、２つの端子金具３６とアースブラケット３９とコイル４６と２つのコンデンサ４７を一体化したものとなっている。
【００３２】
次に、本実施例の作用を説明する。電子部品モジュールＭを組み付ける際には、ケース本体１１に一対の端子金具３６とアースブラケット３９を取り付けて、所定の取付け位置に位置決めする。次に、コイル４６を収容部１２内に収容し、コイル４６の両端部を一対の端子金具３６に接続する。コイル４６の接続と前後して、一対のコンデンサ４７を収容部１２内に収容し、リード線４８，４９を端子金具３６とアースブラケット３９に接続する。以上により、フィルタモジュール３５が一体化されるとともに、フィルタモジュール３５がケース本体１１に取り付けられる。
【００３３】
この後、ガイドリブ３３をガイド溝２２に嵌入することによって、カバー２６をケース本体１１に組み付ける。カバー２６がケース本体１１に組み付けられると、カバー２６に形成されている一対の前側規制突部３１が、一対の端子金具３６の前側係止孔３８に嵌入する。この嵌入作用により、一対の端子金具３６が、ケース本体１１（前壁部１５）に対し前後方向への相対変位を規制された状態に保持される。前側規制突部３１が前側係止孔３８に嵌入する方向は、位置決め孔２４に対する端子金具３６の挿抜方向と略直角な方向である。したがって、端子金具３６に前後方向（挿抜方向）の外力が作用しても、端子金具３６がケース本体１１に対して前後方向へ移動する虞はない。
【００３４】
尚、カバー２６がケース本体１１に対して前後方向へ相対移動し得る場合は、前側規制突部３１が前側係止孔３８に嵌入したままで、端子金具３６が、カバー２６と一体となり、ケース本体１１に対して後方へ相対移動することが懸念される。しかし、ガイドリブ３３とガイド溝２２の係止により、カバー２６はケース本体１１に対して前後方向の相対移動を規制されているので、上記のような事態は発生しない。したがって、端子金具３６は、ケース本体１１に対し所定の取付け位置に確実に保持される。
【００３５】
また、カバー２６をケース本体１１に組み付けると、カバー２６に形成されている後側規制突部３４が、アースブラケット３９の後側係止孔４１に嵌入する。この嵌入作用により、アースブラケット３９が、ケース本体１１に対し前後方向への相対変位を規制された状態に保持される。後側規制突部３４が後側係止孔４１に嵌入する方向は、ケース本体１１に対するアースブラケット３９の挿抜方向と略直角な方向である。したがって、アースブラケット３９に後方（抜き方向）の外力が作用しても、アースブラケット３９がケース本体１１に対して後方へ移動する虞はない。
【００３６】
尚、カバー２６がケース本体１１に対して後方へ相対移動し得る場合は、後側規制突部３４が後側係止孔４１に嵌入したままで、アースブラケット３９が、カバー２６と一体となり、ケース本体１１に対して後方へ相対移動することが懸念される。しかし、ガイドリブ３３とガイド溝２２の係止により、カバー２６はケース本体１１に対して後方向の相対移動を規制されているので、上記のような事態は発生しない。したがって、アースブラケット３９は、ケース本体１１に対し所定の取付け位置に確実に保持される。
【００３７】
本実施例の電子部品モジュールＭは、合成樹脂部品と金属部品とを分離する際の作業性向上を図ることを可能としたものである。電子部品モジュールＭは、電子部品（コイル４６とコンデンサ４７）を収容するケース１０と、ケース１０に対し着脱可能な金属部品（端子金具３６とアースブラケット３９）とを備えている。ケース１０は、合成樹脂製のケース本体１１とカバー２６とを組み付けて構成されている。ケース本体１１には、端子金具３６を所定の取付け位置に位置決めするための位置決め孔２４と、アースブラケット３９を所定の取付け位置に位置決めするための位置決め溝１９が形成されている。そして、カバー２６には、位置決めされている端子金具３６が位置決め孔２４から離脱することを規制するための前側規制突部３１と、位置決めされているアースブラケット３９が位置決め溝１９から離脱することを規制するための後側規制突部３４とが形成されている。
【００３８】
合成樹脂製のケース本体１１と金属部品（コイル４６とコンデンサ４７）を分離する際には、カバー２６をケース本体１１から外して、規制突部３１，３４によるコイル４６及びコンデンサ４７への離脱規制を解除し、その後、端子金具３６とアースブラケット３９を位置決め孔２４と位置決め溝１９から外せばよい。本実施例によれば、合成樹脂製のケース本体１１と金属部品（端子金具３６とアースブラケット３９）を分離させる際に、ケース本体１１を破壊する必要がないので作業性がよい。
【００３９】
また、電子部品モジュールＭは、コイル４６が端子金具３６に固着され、コンデンサ４７が端子金具３６とアースブラケット３９に固着されているのであるが、コイル４６を端子金具３６から分離させる作業は、コイル４６と端子金具３６をケース本体１１に取り付けた状態で行うよりも、コイル４６と端子金具３６をケース本体１１から取り外した状態（ケース１０の外へ取り出した状態）で行う方が容易である。同じく、コンデンサ４７を端子金具３６とアースブラケット３９から分離させる作業も、コンデンサ４７と端子金具３６とアースブラケット３９をケース本体１１に取り付けた状態で行うよりも、コンデンサ４７と端子金具３６とアースブラケット３９をケース本体１１から取り出した状態（ケース１０の外へ取り出した状態）で行う方が、容易で効率的である。
【００４０】
この点を勘案し、ケース本体１１には、端子金具３６とアースブラケット３９をケース本体１１から外す過程で、コイル４６とコンデンサ４７との干渉を回避するための着脱口１７が形成されている。これにより、コイル４６を端子金具３６に固着したままでケース本体１１の外へ取り出すことができるとともに、コンデンサ４７を端子金具３６とアースブラケット３９に固着したままでケース本体１１の外へ取り出すことができる。したがって、コイル４６を端子金具３６から分離させる作業と、コンデンサ４７を端子金具３６とアースブラケット３９から分離させる作業を、容易且つ効率的に行うことができる。
【００４１】
特に、コンデンサ４７（１つの電子部品）は、複数の金属部品（端子金具３６とアースブラケット３９）とに固着されているのであるが、本実施例の電子部品モジュールＭは、この複数の金属部品（端子金具３６とアースブラケット３９）が、互いに同じ方向（後方）へ平行移動することでケース本体１１から離脱されるようになっている。したがって、コンデンサ４７を、複数の金属部品（端子金具３６とアースブラケット３９）に固着したままでケース本体１１の外へ取り出すことができる。
【００４２】
また、ケース本体１１には、アースブラケット３９をスライドさせることによって所定の取付け位置まで誘導するガイド部２０が形成されている。この構成によれば、アースブラケット３９をケース本体１１に対して着脱する際に、アースブラケット３９とケース本体１１との間でこじりや引っ掛かりを生じる虞はない。したがって、作業性に優れている。
【００４３】
＜他の実施例＞
本発明は上記記述及び図面によって説明した実施例に限定されるものではなく、例えば次のような実施例も本発明の技術的範囲に含まれる。
（１）上記実施例では、電子部品（コイルとコンデンサ）が金属部品（アースブラケットと端子金具）に固着されているが、本発明は、電子部品と金属部品が固着されていない場合にも適用できる。
（２）上記実施例では、規制部（規制突部）が、金属部品の係止孔に嵌入するようになっているが、規制部は、金属部品の外面に当接する形態であってもよく、金属部品の突起に嵌合する形態であってもよい。
（３）上記実施例では、電子部品が１つのコイルと２つのコンデンサで構成されるπ型フィルタであるが、本発明は、電子部品が、１つのコンデンサと１つのコイルを用いたＬＣフィルタ、２つのコイルと１つのコンデンサで構成されるＴ型フィルタ、コンデンサを用いずにコイルだけで構成されるチョークコイル等である場合にも適用することができる。
（４）上記実施例では、電子部品がフィルタ素子（コイルとコンデンサ）であるが、本発明は、電子部品が、リレー、ヒューズ、ＩＣ等である場合にも適用することができる。
（５）上記実施例では、電子部品モジュールがノイズフィルタであるが、本発明は、電子部品モジュールが、リレーボックス、ヒューズボックス、ジャンクションボックス等である場合にも適用することができる。
（６）上記実施例では、第２構成部品（カバー）を合成樹脂製としたが、第２構成部品に金属部品が組み付けられていない場合には、第２構成部品を合成樹脂以外の材料（金属等）としてもよい。
【符号の説明】
【００４４】
Ｍ…電子部品モジュール
１０…ケース
１１…ケース本体（第１構成部品）
１７…着脱口（開口部）
１９…位置決め溝（位置決め部）
２０…ガイド部
２４…位置決め孔（位置決め部）
２６…カバー（第２構成部品）
３１…前側規制突部（規制部）
３４…後側規制突部（規制部）
３６…端子金具（金属部品）
３９…アースブラケット（金属部品）
４６…コイル（電子部品）
４７…コンデンサ（電子部品）
【図１】
2016139538.tif 000003
【図２】
2016139538.tif 000004
【図３】
2016139538.tif 000005
【図４】
2016139538.tif 000006
【図５】
2016139538.tif 000007
【図６】
2016139538.tif 000008
【図７】
2016139538.tif 000009
【図８】
2016139538.tif 000010